(57)【要約】      （修正有）【課題】開閉動作時にも外装カバー合わせを保ち、隙間を発生させず、ユニットの外装カバー合わせの外観品位を向上させることができる撮像装置を提供する。【解決手段】ロックノブ１１９はスプリングによる付勢力ｃによって付勢されている。ロックノブ１１９の係合部１１９１のＣ面１１９４とスタンド内側カバー１２１の係合部１２１２が係合している。ロックノブ１１９への付勢力ｃが、係合部１２１２に対して荷重ｄがＣ面１１９４の垂直方向に印加される。荷重ｄの分力ｄ１がスタンドに閉じ方向の付勢力として印加され、スタンドの浮きが発生しないようにロックしている。分力ｄ２はスタンドの回転軸の回転方向に対して垂直の方向であり、スタンドを移動させる力としては働かない。【選択図】図８
2015114525.tif 000002
【特許請求の範囲】
【請求項１】
撮像光学系を有する第１の筐体と、
前記第１の筐体に対して第２の筐体を開閉可能に支持するヒンジ部と、
前記第１の筐体に、前記第２の筐体を閉じ状態に係止するロック機構を有し、
前記ヒンジ部は、第１の筺体に固定される固定部と、前記固定部に対して前記第２の筐体を開閉可能に支持する支持部材を有した可動部からなり、
前記第２の筐体は、閉じ状態において、前記第１の筐体に対向するように配置された第１のカバーと、前記ヒンジ部の前記可動部を挟み込むように前記第１のカバーと反対側に配置された第２のカバーと、
前記第１のカバーと前記第２のカバーのカバー合わせ部を有し、
前記第１のカバーは、前記ロック機構によって係止される係合部と、
前記第２の筐体を閉じ状態から開き状態へと操作する際に使用する指かけ部の
両方を備えており、
前記第２の筐体を閉じ状態から開き状態へと操作する際に発生する操作力により、
前記カバー合わせ部を離間させる方向の分力が発生しない構造になっていること
を特徴とする撮像装置。
【請求項２】
前記第２の筐体は、前記撮像光学系の撮影角度を調整するためのスタンドユニットであることを特徴とする請求項１に記載の撮像装置。
【発明の詳細な説明】
【技術分野】
【０００１】
本発明は、ロック付き開閉機構が備えられたスタンドを有する撮像装置に関するものである。
【背景技術】
【０００２】
従来のカメラには、表示パネルユニットが開閉可能に取り付けられていたり、カメラ本体の撮影角度（仰角や俯角など）を調整するために回動可能なスタンドユニットが取り付けられているものがある。またさらに特許文献１のように、表示パネルユニット非使用時に収納する際、カメラ本体と液晶パネルユニットの隙間や浮きが発生し外観品位を損ねているという課題から、表示パネルの開閉をロックするロック爪を設けて、カメラ本体と表示パネルユニットのガタを規制しているカメラが提案されている。
【先行技術文献】
【特許文献】
【０００３】
【特許文献１】特開2009-290692号公報
【発明の概要】
【発明が解決しようとする課題】
【０００４】
通常上記従来例のような表示パネルユニットやスタンドユニットは、内部に液晶パネルや液晶パネルやスタンドの骨格となるようなフレームを備え、それらを外側カバーと内側カバーの２つの外装カバーで挟み込むように保持される構造である。また前述したようなガタを規制するためのロック爪やロック爪が係合する引っかけ部も、２つの外装カバーの間に挟まれて配置されていることが多い。
【０００５】
上記ユニットの内部に配置されるフレームはフレームの取り付け部を中心に回動するような構造をしている。上記ユニットは、ユニットを開くために指をかける操作部と、ロック爪が係合する係合部があり、操作部は外側カバー、係合部は内側カバーに構成されている。
【０００６】
上記構成の場合、ユニットを回動させるために操作部に力を加えた場合、まず外側カバーが動き始める。しかし、係合部はロック爪により付勢されているため、内側カバーは所定の操作力が加えられるまで静止したままである。そのため、外側カバーと内側カバーの間に隙間が発生してしまい、外観品位を損ねてしまう。
【０００７】
そこで、本発明では液晶パネルやスタンドユニットなど開閉動作するユニットを持つ撮像装置において、開閉動作時にも外装カバー合わせを保ち、隙間を発生させず、ユニットの外装カバー合わせの外観品位を向上させることを目的とする。
【課題を解決するための手段】
【０００８】
本発明による撮像装置は、
撮像光学系を有する第１の筐体と、
前記第１の筐体に対して第２の筐体を開閉可能に支持するヒンジ部と、
前記第１の筐体に、前記第２の筐体を閉じ方向に付勢するロック機構を有し、
前記ヒンジ部は、基台となる固定部と、前記固定部に対して前記第２の筐体を支持する支持部材を有した可動部からなり、
前記第２の筐体は、前記指示部材および前記可動部に対して、前記第１の筐体に対向するように配置された第１のカバーと、前記可動部に対して前記第１のカバーと反対側に配置された第２のカバーを有し、
前記第１のカバーは、前記ロック機構によって付勢される係合部と、
前記第２の筐体を閉状態から開状態へと操作する際に使用する指かけ部の
両方を兼ね備えており、
前記第１のカバーと前記第２のカバーの合わせ部に対して開き方向に力が加わらないこと
を特徴としている。
【発明の効果】
【０００９】
本発明によれば、開閉動作可能なユニットを持っている撮像装置において、開閉動作時にも前記ユニットを覆う外装カバー合わせを保ち、隙間を発生させず、ユニットの外装カバー合わせの外観品位を向上させる。
【図面の簡単な説明】
【００１０】
【図１】本発明の実施形態に関わるデジタルビデオカメラの外観斜視図である。
【図２】スタンドの開閉状態の違いによる光軸中心の傾きを示した図である。
【図３】本発明の実施形態に関わるスタンドのみの外観斜視図である。
【図４】本発明の実施形態に関わるスタンドの分解斜視図である。
【図５】本発明の実施形態に関わるスタンドロック部の分解斜視図である。
【図６】本発明の実施形態に関わるデジタルビデオカメラ本体の前面図である。
【図７】本発明の実施形態に関わるスタンドロックノブの動作を表す断面図である。
【図８】本発明の実施形態に関わるスタンドおよびスタンドロック部の係合部断面図である。
【発明を実施するための形態】
【００１１】
＜実施形態＞
本発明の第一の実施形態として、撮像装置の中でもデジタルビデオカメラを用いて詳細な説明を行う。
【００１２】
図１に本発明の実施形態に関わるデジタルビデオカメラ本体の外観斜視図を示す。
【００１３】
デジタルビデオカメラ１００は扁平な略直方体をしており、高さ方向を上下方向、短辺方向を左右方向、長辺方向を前後方向とし、図１（Ａ）に示されている面は上面・前面・左面側であり、図１（Ｂ）、（Ｃ）に示されている面は、下面・前面・右面側であり、（Ｂ）はスタンド閉状態、（Ｃ）はスタンド開状態を示した図である。スタンド開閉の回転中心をｂにて示している。
【００１４】
デジタルビデオカメラ１００は撮像光学系１０１を有し、撮像光学系１０１の光軸中心をａに示す（ａは前後方向に平行）。撮像光学系１０１の左右に配置されたマイク１０３、あるいは外部マイク端子１０７に挿入された外部マイク（不図示）により取得される音声と共に映像記録することができる。その際、オーディオダイアル１１０により、マイク１０３および外部マイクの感度を調整でき、記録音声レベルの調整することができる。また液晶パネル１０２を有し、映像記録時に撮像光学系１０１により取得された画像データを表示することができる。
【００１５】
取得された画像データの表示により画角を調整したり、撮影した映像を再生し確認したりすることができる。なお再生キー１１３を押すことにより録画モードと再生モードの切り替えを行うことができる。映像再生時には、スピーカ１０４またはヘッドフォン端子１０８に挿入されたヘッドフォン（不図示）から音声を出力することができる。また電源スイッチ１０５を前後方向に操作することにより、電源のオン/オフを切り替えることができ、電源オン状態においては電源ＬＥＤ窓１０６より光が発せられ、暗所などにおいても電源のオン/オフ状態を確認することができる。
【００１６】
また電源端子１０９にＣＡ電源プラグを挿入することによりコンセントから電源供給することができる。また電源オン状態において、トリガーキー１１１を押すことによりＲＥＣ/ＲＥＣ ＰＡＵＳＥの状態を切り替えることができる。また端子カバー１１２により、端子カバー１１２の内側に配置されたＵＳＢ端子およびＨＤＭＩ(登録商標）端子（不図示）にゴミなどの不純物が入るのを防ぐことができる。またデジタルビデオカメラ１００はボトムカバー１１４によって本体における下面全体を構成しており、そのボトムカバー１１４に以下で述べる構成要素が取り付けられている。デジタルビデオカメラ１００はにストラップ取り付け穴１１５を二つ持っており、本体の後ろ側の左右に配置されている。後ろ側の両角にあることでストラップだけでなく、ネックストラップなど両釣りするタイプのストラップにも対応可能である。
【００１７】
また二つのストラップ取り付け穴１１５の中央（後ろ側中央）にカード/バッテリー蓋１１６が配置されており、内部にＳＤカードソケットとバッテリーボックス（不図示）があり、ＳＤカードやバッテリーを挿入することができる。ボトムカバー１１４の略中央に三脚取り付け穴１１７が配置されており、三脚を取り付けることができる。三脚ネジ取り付け穴１１７をコの字にて取り囲むようにスタンド１１８が配置されている。スタンド１１８にはロック機構がついており、スタンド１１８はロックノブ１１９により閉じ方向へ付勢され、開き方向に浮きが発生しないようにロックされている。スタンド１１８およびロックノブ１１９に関しての詳細は後述する。
【００１８】
スタンド１１８の機能に関して、図２を用いて説明する。
【００１９】
図２はスタンド１１８の開閉状態の違いによる光軸中心ａの傾きを表わしている。図２（Ａ）は、スタンド１１８が開状態にあり、スタンド１１８先端側とデジタルビデオカメラ１００の背面側を接地させた場合の図である。スタンド１１８の開き角αの変化によって、ビデオカメラ１００の光軸中心ａと接地面との角度βが変化する構成になっており、仰角を調整することができる。
【００２０】
図２（Ｂ）は、スタンド１１８が閉状態にある場合の図である。スタンドの光軸中心ａと接地面が平行になっている。
【００２１】
図２（Ｃ）は、スタンド１１８が開状態にあり、スタンド１１８先端側とデジタルビデオカメラ１００の前面側を接地させた場合の図である。スタンド１１８の開き角αの変化によって、ビデオカメラ１００の光軸中心ａと接地面との角度βが変化する構成になっており、俯角を調整することができる。
【００２２】
図３にデジタルビデオカメラ１００におけるスタンド１１８のみの外観斜視図を示す。図３（Ａ）が外観側（スタンド１１８が撮像装置１００に対して収納状態にて見える側）、（Ｂ）が内観側（スタンド１１８の収納状態では大半が隠れており、開状態にて露出する側）を示している。また図４にスタンド１１８の分解斜視図を示す。
【００２３】
スタンド１１８は、スタンド外側カバー１２０、スタンド内側カバー１２１、スタンドヒンジ１２２から構成されている。スタンドヒンジ１２２は、略コの字形状に作られたフレーム１２２１、ベースＬ１２２２、ベースＲ１２２３、回転軸Ｌ１２２４、回転軸Ｒ１２２５によって構成されており、フレーム１２２１のコの字形の両端にて、回転軸Ｌ１２２４、回転軸Ｒ１２２５によってベースＬ１２２２とベースＲ１２２３がそれぞれカシメられ、それぞれの回転軸のスラスト方向に動かないように接続されている。この回転軸Ｌ１２２４と回転軸Ｒ１２２５は同軸であり、スタンドヒンジ１２２の回転中心ｂとなっている。
【００２４】
スタンドヒンジ１２２をスタンド外側カバー１２０とスタンド内側カバー１２１によって挟むように組み付け、スタンド外側カバー１２０とスタンド内側カバー１２１はフレーム１２２１にビスで取り付けられる。またベースＬ１２２２とベースＲ１２２３はボトムカバー１１４にビスで固定される。
【００２５】
スタンド内側カバー１２１は、指かけ部１２１１と係合部１２１２を有している。指かけ部１２１１は、スタンド１１８を回転中心ｂ基準に開く際に指で操作する箇所である。係合部１２１２は、スタンド１１８を閉じ方向に付勢するためのロックノブ１１９と係合する箇所である。
【００２６】
ロックノブ１１９によるロック機構は以下で述べる。まず図５にスタンド１１８をロックするための構成部品の分解斜視図を示す。ロックノブ１１９は、ボトムカバー１１４に形成された円柱の回転軸１１４１（図７参照）に対して、穴１１９２を挿入する。これにより、ロックノブ１１９は穴１１９２を中心に回動する。本実施形態では、前述の構成であるが、その形に限らず、穴軸の関係が逆になっていてもよい。
【００２７】
またスプリング１２３は、ロックノブ１１９と同様、ボトムカバー１１４に形成された円柱の回転軸１１４２（図７参照）に対して、穴１２３１を挿入する。またスプリング１２３の先端ひっかけ部１２３２は、ロックノブ１１９のＵ字の溝部１１９３に挿入される。そして、板金１２４はロックノブ１１９とスプリング１２３の上からビスで固定され、ボトムカバー１１４に形成された回転軸１１９２、１１９３（図７）から穴１１９２、１２３１が軸のスラスト方向に抜けでないように規制している。
【００２８】
また図６にデジタルビデオカメラ１００の前面図を示す。この図により、後述する断面図の位置を示している。また図７は、図６のＸ−Ｘ断面図であり、ロックノブ１１９を含む断面を示している。この図にてロックノブ１１９の動作に関して述べる。
【００２９】
（Ａ）はロック時のロックノブ１１９の位置を示し、（Ｂ）はロック解除時（ロックノブ１１９が押し込まれた時）のロックノブ１１９の退避位置を示している。ロックノブ１１９は、穴１１９２がボトムカバー１１４の回転軸１１４１に挿入されており、回転軸１１４１を中心に回動する。
【００３０】
またロックノブ１１９は溝部１１９３に、スプリング１２３のひっかけ部１２３２が挿入されており、スプリング１２３による付勢力ｃがロックノブ１１９に印加されている。これにより、ロックノブ１１９の係合部１１９１がスタンド１１８により押し下げられ、ロックノブ１１９が退避位置（図７（Ｂ））に移動した後も、係合部１１９１に負荷された力が除去された後に付勢力ｃにより、ロック時の位置（図７（Ａ））に戻る。
【００３１】
図８に、図６のＹ−Ｙ断面図であり、ロックノブ１１９を含む断面を示している。この図にてスタンド１１８のロック機構に関して、スタンド１１８およびロックノブ１１９の荷重のかかり方を説明する。
【００３２】
まずスタンド１１８の閉じ状態（ロック状態）について述べる。ロックノブ１１９はスプリング１２３による付勢力ｃによって付勢されている。ロックノブ１１９の係合部１１９１のＣ面１１９４とスタンド内側カバー１２１の係合部１２１２が係合している。ロックノブ１１９への付勢力ｃが、係合部１２１２に対して荷重ｄがＣ面１１９４の垂直方向に印加される。荷重ｄの分力ｄ１がスタンド１１８に閉じ方向の付勢力として印加され、スタンド１１８の浮きが発生しないようにロックしている。分力ｄ２はスタンド１１８の回転軸ｂの回転方向に対して垂直の方向であり、スタンド１１８を移動させる力としては働かない。
【００３３】
次にスタンド１１８を開く時の挙動を述べる。スタンド内側カバー１２１の指かけ部１２１１に指をかけ、指かけ部１２１１に対してスタンド１１８の開き方向に荷重ｅを加える。加えた荷重ｅが、スタンド内側カバー１２１の係合部１２１２から、さらにロックノブ１１９の係合部１１９１のＣ面１１９４の垂直方向に荷重ｆとして印加される。そこで、荷重ｆの分力ｆ２の方向にロックノブ１１９１は押される。その荷重ｆ２がスプリング１２３による付勢力ｃを上回った時に、ロックノブ１１９が付勢力ｃに逆らって退避し始める。その後、スタンド内側カバー１２１の係合部１２１２がロックノブ１１９の係合部１１９１を乗り越え、ロックが解除される。その後、ロックノブ１１９はスプリング１２３の付勢力ｃにより、ロック時の位置に戻る。
【００３４】
上記構成のように、スタンド内側カバー１２１に指かけ部１２１１と係合部１２１２の両方を配置することにより、スタンド外側カバー１２０に対して荷重がかかることがなくなり、スタンド内側カバー１２１とスタンド外側カバー１２０のカバー合わせ部に隙間を発生させることがないという利点がある。
【００３５】
またスタンド内側カバー１２１の指かけ部１２１１の裏側に係合部１２１２を配置することにより、指かけ部１２１１と係合部１２１２との距離が近く、指かけ部１２１１に操作する荷重ｅがカバーの撓み等で分散することなく、ロックノブ１１９に伝えることが可能であり、ロック解除しやすくなる。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述の実施形態の一部を適宜組み合わせてもよい。
【符号の説明】
【００３７】
100    撮像装置
101    撮像光学系
102    液晶パネル
103    マイク
104    スピーカ
105    電源スイッチ
106    電源LED窓
107    外部マイク端子
108    ヘッドフォン端子
109    電源端子
110    オーディオダイアル
111    トリガーキー
112    端子カバー
113    再生キー
114    ボトムカバー
1141、1142    回転軸
115    ストラップ取り付け穴
116    カード/バッテリー蓋
117    三脚取り付け穴
118    スタンド
119    ロックノブ
1191   係合部
1192、1231    穴
1193   溝部
120    スタンド外側カバー
121    スタンド内側カバー
1211   指かけ部
1212   係合部
122    スタンドヒンジ
1221   フレーム
1222   ベースＬ
1223   ベースＲ
1224   回転軸Ｌ
1225   回転軸Ｒ
123    スプリング
1232   ひっかけ部
124    板金
【図１】
2015114525.tif 000003
【図２】
2015114525.tif 000004
【図３】
2015114525.tif 000005
【図４】
2015114525.tif 000006
【図５】
2015114525.tif 000007
【図６】
2015114525.tif 000008
【図７】
2015114525.tif 000009
【図８】
2015114525.tif 000010